(57)【要約】【課題】  特別な対策を施すことなく清掃が簡単になり安全性も高くなるようにする。【構成】  虫を誘引するための誘虫ランプ１０と、誘虫ランプ１０が内部に取り付けられ且つ上面が開放されたハウジング２０と、ハウジング２０の上面から挿入されてその開放部分を塞ぐ透光性容器であってハウジング２０に取り外し可能な捕虫容器３０とを有している。捕虫容器３０には捕獲すべき虫に対応した大きさのスリット３１が内部に入り込んだ位置に形成されている。【選択図】  図１
2005229932.tif 000002
【特許請求の範囲】
【請求項１】
虫を誘引するための誘虫ランプと、誘虫ランプが内部に取り付けられ且つ外面の一部が開放されたハウジングと、ハウジングの開放部分から挿入されて当該部分を塞ぐ透光性容器であってハウジングに取り外し可能な捕虫容器とを具備しており、捕虫容器には捕獲すべき虫に対応した大きさの虫導入穴が内部に入り込んだ位置に形成されていることを特徴とする捕虫装置。
【請求項２】
請求項２記載の捕虫装置において、虫導入穴がスリットであることを特徴とする捕虫装置。
【請求項３】
請求項１又は２記載の捕虫装置において、ハウジングは非透光性を有し且つその上面が開放していることを特徴とする捕虫装置。
【請求項４】
請求項３記載の捕虫装置において、捕虫容器はハウジングの上面の縁部に引っ掛け可能になっていることを特徴とする捕虫装置。
【発明の詳細な説明】
【技術分野】
【０００１】
本発明はハエや蚊等の衛生害虫が好む波長光を発する誘虫ランプにより衛生害虫を誘引して捕獲する捕虫装置に関する。
【背景技術】
【０００２】
食品店や飲食店においては、衛生害虫の商品への混入を防止するために捕虫装置を備え付けられていることが多い。従来の捕虫装置は、誘虫ランプと、誘虫ランプを覆う透光性カバーとを有し、透光性カバーに内側に突出する複数の虫導入穴が形成された基本構成となっているのが一般的である（例えば、特許文献１等参照) 。
【特許文献１】特開２００１−１６９７０９号公報
【発明の開示】
【発明が解決しようとする課題】
【０００３】
しかしながら、上記従来例による場合、透光性カバー内に捕獲された衛生害虫が誘虫ランプや安定器等に直接に触れる構成となっている以上、誘虫ランプ等が汚れ易く、これを水洗いすることもできないので、その清掃が非常に煩わしいという欠点がある。また、衛生害虫が誘虫ランプの電極部分等に触れると、トラッキング現象が生じることがあり、安全性が低いという欠点もある。このような欠点を是正するには特別な対策を施せば良いものの、その分だけ構造等が複雑になってコスト高になるという問題がある。
【０００４】
本発明は上記背景の下で創作されたものであって、その目的とするところは、特別な対策を施すことなく清掃が簡単になり安全性も高くなる捕虫装置を提供することにある。
【課題を解決するための手段】
【０００５】
本発明に係る捕虫装置は、虫を誘引するための誘虫ランプと、誘虫ランプが内部に取り付けられ且つ外面の一部が開放されたハウジングと、ハウジングの開放部分から挿入されて当該部分を塞ぐ透光性容器であってハウジングに取り外し可能な捕虫容器とを有し、捕虫容器には捕獲すべき虫に対応した大きさの虫導入穴が内部に入り込んだ位置に形成された構成となっている。
【０００６】
好ましくは、虫導入穴については、スリットであることが望ましい。ハウジングについては、非透光性を有し且つその上面が開放していることが望ましい。この場合は、捕虫容器がハウジングの上面の縁部に引っ掛け可能になっていることが望ましい。
【発明の効果】
【０００７】
本発明の請求項１に係る捕虫装置による場合、虫がハウジング内の誘虫ランプに直接に触れず捕虫容器に捕獲される構成となっているので、誘虫ランプが虫の付着により汚れたりすることがない。しかも捕虫容器とハウジングとは別体にされているため、ハウジングから捕虫容器を取り外してその内部を水洗いすることもできる。そのため装置の清掃が非常に簡単になる。しかも虫が誘虫ランプに触れない以上、トラッキング現象が生じるおそれがなくなり、安全性も極めて高い。即ち、特別な対策を施すことなく清掃が簡単になり安全性も高くなることから、装置の低コスト化を図る上でメリットがある。
【０００８】
本発明の請求項２に係る捕虫装置による場合、虫導入穴がスリットである構成となっているので、捕虫容器内に捕獲された虫を水洗い等により速やかに排出させることが可能であり、装置の清掃が一層簡単になるというメリットがある。
【０００９】
本発明の請求項３に係る捕虫装置による場合、ハウジングが非透光性を有し且つその上面が開放した構成となっているので、誘虫ランプから発せられた光が上方向にのみ出力され、あたかも間接照明の如く良好な照明効果が発揮される。
【００１０】
本発明の請求項４に係る捕虫装置による場合、捕虫容器がハウジングの上面の縁部に引っ掛け可能になった構成となっているので、全体構造が非常にシンプルであり、装置の低コスト化を図る上でメリットがある。
【発明を実施するための最良の形態】
【００１１】
以下、本発明の実施の形態を図面を参照して説明する。図１は壁取り付けタイプの捕虫装置の側方視断面図、図２は同装置の一部省略平面図である。
【００１２】
ここに掲げる捕虫装置は図１に示すように壁取り付けタイプのものであって、虫を誘引するための誘虫ランプ１０と、誘虫ランプ１０等が内部に取り付けられ且つ上面２１が開放しているハウジング２０と、ハウジング２０の上面２１から挿入されハウジング２０に取り外し可能な捕虫容器３０とを有した基本構成となっている。以下、各部の詳細を説明する。
【００１３】
誘虫ランプ１０については、ここでは虫が最も反応する３６５ｎｍ付近の波長光を多量に放射する直管型の蛍光ランプを用いている。ハウジング２０の底面上には、誘虫ランプ１０を点灯させる安定器１１等の他、図外の給電ソケットが取り付けられている。即ち、誘虫ランプ１０は給電ソケットを介してハウジング２０に取り付けられている。
【００１４】
ハウジング２０については、誘虫ランプ１０等を収容する矩形型有底箱状のカバーであって、ここでは非透光性の樹脂成型品を用いており、図外のネジ等を用いて壁面Ａに取り付け可能になっている。
【００１５】
捕虫容器３０については、ハウジング２０より若干幅の短い略矩形状の透光性容器であって、ハウジング２０の上面から挿入されてその開放部分を塞ぐようになっている。ここでは透明アクリル等の樹脂成型品を用いており、その形状は図示の通りであって、捕獲すべき虫に対応した大きさの虫導入穴としてのスリット３１が内部に入り込んだ位置に幅方向に向けて形成されている。
【００１６】
捕虫容器３０の上側縁部には外側に向けてストッパー片３２が形成されている。即ち、捕虫容器３０をハウジング２０の上面から挿入すると、ストッパー片３２がハウジング２０の上面の縁部に引っ掛けられる。これにより捕虫容器３０がハウジング２０に取り外し可能になっている。これにより装置の全体構造が非常にシンプルになっている。
【００１７】
以上のように構成された捕虫装置による場合、誘虫ランプ１０から発せられた光が捕虫容器３０を透過してハウジング２０の上面から外に出る一方、この光に誘引された虫が捕虫容器３０のスリット３１から捕虫容器３０内に入り込んで捕獲される。即ち、ハウジング２０内の誘虫ランプ１０等に直接に触れず捕虫容器３０に捕獲される構成となっているので、誘虫ランプ１０等が虫の付着により汚れたりすることがない。しかも捕虫容器３０とハウジング２０とは別体にされているため、ハウジング２０から捕虫容器３０を取り外してその内部をスリット３１を通じて水洗いすることができる。この際、スリット３１が幅方向に大きく延びていることから、捕虫容器３０内に捕獲された虫を速やかに排出させることができる。そのため装置の清掃が非常に簡単になる。また、虫が誘虫ランプ１０に触れることがない以上、トラッキング現象が生じるおそれがなくなり、安全性も極めて高い。
【００１８】
このように従来装置とは異なり特別な対策を施すことなく清掃が簡単になり安全性も高くなることから、装置の全体構造が非常にシンプルであることも含めて、装置の低コスト化を図る上でメリットがある。また、ハウジング２０が非透光性であることから、誘虫ランプ１０から発せられた光が上方向にのみ出力され、壁面Ａに照射される結果、あたかも間接照明の如く良好な照明効果が発揮されることになり、この点でもメリットがある。
【００１９】
捕虫装置を天井取り付けタイプに設計変更する場合、例えば、図３及び図４に示すような形態にすれば良い。図３は天井取り付けタイプの捕虫装置の側方視断面図、図４は同装置の一部省略平面図である。壁取り付けタイプと大きく異なるのは、ハウジング２０’の両側が吊り具４０により天井Ｂに吊られている点と、誘虫ランプ１０等がハウジング２０’の中央部分に取り付けられていることに関連して捕虫容器の形状が異なる点のみである。この捕虫容器３０’においてはスリット３１’が２つ形成されている。これらの点を除いては壁取り付けタイプと全く同様であるので、上記と全く同様のメリットを奏する。
【００２０】
なお、本発明に係る捕虫装置は上記実施形態に限定されず、次のような形態であってもかまわない。誘虫ランプについては、その種類や形状等が任意である。
【００２１】
ハウジングについては材質が問われず透明体であってもかまわず、誘虫ランプを内部に取り付けることが可能であり、外面の一部が開放されている限り、どのような形状であっても良い。捕虫容器については、ハウジングの外面に形成された開放部分から挿入されて当該部分を塞ぐ透光性容器であり、捕獲すべき虫に対応した大きさの虫導入穴が内部に入り込んだ位置に形成されている限り、どのような形状であっても良い。ハウジングに取り外し可能にする方法についても任意である。虫導入穴についてはスリットではなく丸穴等でもかまわない。
【図面の簡単な説明】
【００２２】
【図１】本発明の実施の形態を説明するための図であって、壁面取り付けタイプの捕虫装置の側方視断面図である。
【図２】同装置の一部省略平面図である。
【図３】天井取り付けタイプの捕虫装置の側方視断面図である。
【図４】同装置の一部省略平面図である。
【符号の説明】
【００２３】
１０  誘虫ランプ
２０  ハウジング
３０  捕虫容器
３１  スリット
【図１】
2005229932.tif 000003
【図２】
2005229932.tif 000004
【図３】
2005229932.tif 000005
【図４】
2005229932.tif 000006